(57)【要約】【課題】本発明の実施形態は、インターロック条件式の設定を容易とした変電所監視制御システムを提供することを目的とする。【解決手段】本発明の実施形態は、条件式設定装置により設定された変換後条件式情報に基づいて、電力系統に設置された開閉器の制御を行う複数の制御装置を備える変電所監視システムに関する。この変電所監視システムは、前記条件設定装置が、入力された条件式情報を、事前に設定された変電所情報に基づいて、冗長化された前記制御装置に対応する変換後条件式情報に変換する条件式変換部と、前記条件式変換部により変換された変換後条件式情報を、前記制御装置に対して出力する条件式出力部と、を備える。【選択図】図２
2013208041.tif 000002
【特許請求の範囲】
【請求項１】
条件式設定装置により設定された変換後条件式情報に基づいて、電力系統に設置された開閉器の制御を行う複数の制御装置を備える変電所監視システムにおいて、
前記条件設定装置が、入力された条件式情報を、事前に設定された変電所情報に基づいて、冗長化された前記制御装置に対応する変換後条件式情報に変換する条件式変換部と、
前記条件式変換部により変換された変換後条件式情報を、前記制御装置に対して出力する条件式出力部と、を備える変電所監視システム。
【請求項２】
前記条件式出力部が、冗長化された全ての前記制御装置に対して同一の前記変換後条件式情報を出力する請求項１に記載の変電所監視システム。
【請求項３】
前記条件式情報または前記変換後条件式情報に対応する図面を表示する表示装置を備える請求項１または２に記載の変電所監視システム。
【請求項４】
前記制御装置が保持する保持条件式を示す保持条件式情報を受信し、冗長化された前記制御装置が夫々保持する前記保持条件式情報を比較する条件式比較部を備える請求項１乃至３の何れか１項に記載の変電所監視システム。
【請求項５】
前記条件式比較部が、冗長化された前記制御装置が夫々保持する前記保持条件式情報が一致しないと判断した場合、一致しないことを示す情報を表示する表示装置を備える請求項４に記載の変電所監視システム。
【請求項６】
前記条件式比較部が、冗長化された前記制御装置が夫々保持する前記保持条件式情報が一致しないと判断した場合、前記条件式出力部が前記変換後条件式情報を、比較した前記保持条件式情報を保持する前記制御装置に対して出力する請求項４または５に記載の変電所監視システム。
【請求項７】
前記制御装置が保持する保持条件式を示す保持条件式情報を受信し、前記保持条件式情報と前記変換後条件式情報とを比較する条件式整合部を備える請求項１乃至３の何れか１項に記載の変電所監視システム。
【請求項８】
前記条件式整合部が、前記制御装置が夫々保持する前記保持条件式情報が一致しないと判断した場合、一致しないことを示す情報を表示する表示装置を備える請求項７に記載の変電所監視システム。
【請求項９】
前記条件式整合部が、前記制御装置が夫々保持する前記保持条件式情報が一致しないと判断した場合、前記条件式出力部が前記変換後条件式情報を、前記保持条件式情報が一致しない前記制御装置に対して出力する請求項７または８記載の変電所監視システム。
【発明の詳細な説明】
【技術分野】
【０００１】
本発明の実施形態は、変電所監視制御システムに関する。
【背景技術】
【０００２】
変電所監視制御システムは、変電所に設置された電気設備（例えば、開閉器等）の監視制御を行うシステムである。電気設備は制御装置と接続しており、この制御装置は電気設備の開閉状態などの状態情報を取得する。制御装置は、ＬＡＮ等を介して取得した状態情報を上位装置に送信する。
【０００３】
しかし、電力系統の状態に応じて制御装置の電気設備に対する制御動作を防止（インターロック）する必要がある。従来の変電所監視制御システムでは、ＰＣ等を使用した保守装置をＬＡＮに接続し、インターロックを行う場合の条件式を制御装置に書き込む必要がある。
【０００４】
従来の変電所監視制御システムの中でも制御装置が２重化されたシステムにおいて、インターロック条件式を設定する場合、２重化した制御装置夫々に対して条件式を書き込む必要があった。
【０００５】
また、インターロック条件式は、制御装置が２重化されていないシステムでは、制御装置名称と電気設備名称の組み合わせを１パターンだけ入力すれば済むのに対し、制御装置が２重化されたシステムでは、制御装置名称と電気設備名称の組み合わせを２パターン入力する必要があった。そのため、インターロック条件式が複雑になり、利用者による入力作業やチェック作業に時間を費やしていた。
【先行技術文献】
【特許文献】
【０００６】
【特許文献１】特開平１１−２３４８９０号公報
【発明の概要】
【発明が解決しようとする課題】
【０００７】
本発明の実施形態は、インターロック条件式の設定を容易とした変電所監視制御システムを提供することを目的とする。
【課題を解決するための手段】
【０００８】
本発明の実施形態は、条件式設定装置により設定された変換後条件式情報に基づいて、電力系統に設置された開閉器の制御を行う複数の制御装置を備える変電所監視システムに関する。この変電所監視システムは、前記条件設定装置が、入力された条件式情報を、事前に設定された変電所情報に基づいて、冗長化された前記制御装置に対応する変換後条件式情報に変換する条件式変換部と、前記条件式変換部により変換された変換後条件式情報を、前記制御装置に対して出力する条件式出力部と、を備える。
【図面の簡単な説明】
【０００９】
【図１】第１の実施形態の変電所監視制御システム１の構成を示すブロック図。
【図２】第１の実施形態の条件式設定装置２の構成を示すブロック図。
【図３】第１の実施形態の条件式情報の一例を示す図。
【図４】第１の実施形態の条件式情報をディスプレイ２１に表示させる一例を示すブロック図。
【図５】第１の実施形態の変換後条件式情報の一例を示す図。
【図６】第１の実施形態の条件式設定装置２の動作を示すフローチャート。
【図７】第２の実施形態の条件式設定装置２の構成を示すブロック図。
【図８】第３の実施形態の条件式設定装置２の構成を示すブロック図。
【発明を実施するための形態】
【００１０】
本発明の実施形態の変電所監視制御システムについて図面を用いて説明する。
【００１１】
（第１の実施形態）
第１の実施形態の変電所監視システムの構成について図１を用いて説明する。図１は、変電所監視システム１の構成を示す図である。変電所監視制御システム１は、条件式設定装置２、ＬＡＮ３、制御装置４１〜４４、および開閉器５１〜５６から構成されている。
【００１２】
条件式設定装置２は、制御装置４１〜４４とＬＡＮ３を介して接続しており、制御装置４１〜４４に変換後条件式情報を出力する。
【００１３】
制御装置４１〜４２は、条件設定装置２とＬＡＮ３を介して接続し、開閉器５１〜５３とケーブルを介して接続している。開閉器５１〜５３から開閉状態等の状態情報を取得し、取得した状態情報をＬＡＮ３に出力する。制御装置４３も同様に条件設定装置２とＬＡＮ３を介して接続し、開閉器５４〜５６とケーブルを介して接続している。また、制御装置４１〜４４は、条件式設定装置２からＬＡＮ３を介して受信した条件式に基づいて、開閉器５１〜５６の開閉状態を制御する。ここで制御装置４１と制御装置４２は、開閉器５１〜５３に接続しているため、制御装置４１は制御装置４２によって２重化されたことを示している。
【００１４】
開閉器５１〜５３は、制御装置４１、４２にケーブルを介して接続し、制御装置４１、４２に対して状態情報を出力する。開閉器５４〜５６も同様に制御装置４３、４４にケーブルを介して接続し、制御装置４３、４４に対して状態情報を出力する。また、開閉器５１〜５６は制御装置４１〜４４により開閉状態を制御される。
【００１５】
ここで、制御装置４１、４２および開閉器５１〜５３と、制御装置４３、４４および開閉器５４〜５６とは異なるベイに設置されている。
【００１６】
次に、条件式設定装置２の構成について図２を用いて説明する。図２は、条件式設定装置２の構成を示す機能ブロック図である。条件式設定装置２は、ディスプレイ２１、キーボード２２、条件式編集部２３、条件式記憶部２４、変電所情報記憶部２５、条件式変換部２６、および条件式出力部２７から構成される。
【００１７】
ディスプレイ２１は、ＣＲＴ、ＬＣＤ等の表示装置であり、条件式編集部２３から受信した表示情報を表示させる。
【００１８】
キーボード２２は、利用者が条件式の入力操作をすることによって条件式情報を条件式編集部２３に出力する。
【００１９】
条件式編集部２３は、主に図示しないＣＰＵによって動作されるプログラムによって実現され、キーボード２２から条件式情報が入力される。また、入力された条件式情報に基づいた表示情報をディスプレイ２１に対して出力する。さらに、入力された条件式情報を条件式記憶部２４に出力する。
【００２０】
条件式記憶部２４は、ＨＤＤ、ＳＤＤ等の記憶媒体によって実現され、条件式編集部２３から取得した条件式情報を保存する。
【００２１】
変電所情報記憶部２５は、ＨＤＤ、ＳＤＤ等の記憶媒体によって実現され、事前に設定された変電所情報を保存する。ここでの変電所情報には、制御装置４１〜４４を識別可能な制御装置情報（名称、装置番号等）と、開閉器５１〜５６の現在の開閉状態を示す開閉情報を含む。
【００２２】
条件式変換部２６は、主に図示しないＣＰＵによって動作されるプログラムによって実現され、変電所情報記憶部２５に保存された変電所情報に基づいて、条件式記憶部２４に保存された条件式情報を、制御装置が冗長化された変電所監視システム１に対応する変換後条件式情報に変換し、条件式出力部２７からＬＡＮ３に出力する。
【００２３】
次に、条件式情報および表示情報の一例について図３および図４を用いて説明する。
【００２４】
図３は、キーボード２２が条件式編集部２３に入力され、条件式記憶部２４に保存される条件式情報の一例である。ここで、例えば開閉器５１に「開」指令を出力する際に用いる条件式が「41-51(open) = (!52*!53)+(52*53*43:55*43:56)」であることを示し、開閉器５１〜５６の閉状態を「開閉器番号」、開状態を「！開閉器番号」として表し、論理積「*」および論理和「+」を用いて構成している。また、制御対象の開閉器と同じベイに設置された開閉器と同じベイの開閉器については、開閉器番号だけを指定し、制御対象の開閉器と別の開閉器を指定する際は、開閉器を制御する制御装置番号と開閉器番号を指定する。
【００２５】
つまり、例えば「41-51(open) = (!52*!53)+(52*53*43:55*43:56)」は、開閉器５２が開状態および開閉器５３が開状態の場合か、開閉器５２が閉状態、開閉器５３が閉状態、開閉器５５が閉状態、および開閉器５６が閉状態の場合に、制御装置４１による開閉器５１への「開」指令を有効とする。
【００２６】
図４は、条件式編集部２３がディスプレイ２１に表示させる表示情報の一例である。ここでは、開閉器５１に「開」指令を出力する際に用いる条件式が「41-51(open) = (!52*!53)+(52*53*43:55*43:56)」の場合の表示情報を示す。ここでは、上述したように、開閉器５２が「開」状態および開閉器５３が「開」状態の場合か、開閉器５２が「閉」状態、開閉器５３が「閉」状態、開閉器５５が「閉」状態、および開閉器５６が「閉」状態の場合に、制御装置４１による開閉器５１への「開」指令を有効とする。
【００２７】
次に、条件式記憶部２４に保存された条件式情報が条件式変換部２６により変換された変換後条件式情報について図５を用いて説明する。
【００２８】
ここでは図３と同様に、例えば開閉器５１に「開」指令を出力する際に用いる条件式が「41-51(open) = (!52*!53)+(52*53*(43:55+44:55)*(43:56+44:56))」であることを示し、開閉器５１〜５６の閉状態を「開閉器番号」、開状態を「！開閉器番号」として表し、論理積「*」および論理和「+」を用いて構成している。つまり、「41-51(open) = (!52*!53)+(52*53*(43:55+44:55)*(43:56+44:56))」は、開閉器５２が開状態および開閉器５３が開状態の場合か、開閉器５２が閉状態、開閉器５３が閉状態、開閉器５５が閉状態、および開閉器５６が閉状態の場合に、制御装置４１による開閉器５１への「開」指令を有効とする。ここで、開閉器５５、５６の開閉状態は、２重化された制御装置４３および制御装置４４のいずれかから受信した開閉情報を用いて条件式を作成している。
【００２９】
従って、条件式変換部２６は、変電所情報記憶部２５に保存された変電所情報に基づいて、条件式記憶部２４に保存された条件式に対応する制御対象の開閉器とは異なるベイに設置された制御装置が２重化されているか否かを判断する。２重化されていると判断した場合に、２重化された制御装置のいずれかから受信した開閉情報により成立するように変換する。
【００３０】
次に、条件式設定装置２の動作について図６を用いて説明する。図６は条件式設定装置２の動作を示すフローチャートである。条件式設定装置２の動作は下記ステップを備える。
【００３１】
・条件式編集部２３が、利用者によってキーボード２２から入力された条件式に対応する図面をディスプレイ２１に表示させるステップ（Ｓ６１）。
【００３２】
・利用者がディスプレイ２１に表示された条件式を確認し、条件式を決定する操作をキーボード２２から入力されたことを、条件式編集部２３が検出し、キーボード２２から入力された条件式を示す条件式情報を条件式記憶部２４に保存するステップ（Ｓ６２）。
【００３３】
・条件式変換部２６が、条件式記憶部２４に保存された条件式情報を、変電所情報記憶部２５に保存された変電所情報に基づいて、制御装置が冗長化された変電所監視制御システムに対応する条件式をしめす変換後条件式情報に変換するステップ（Ｓ６３）。
【００３４】
・条件式出力部２７が、変換後条件式情報をＬＡＮ３に出力するステップ（Ｓ６４）。
【００３５】
上述した条件式変換部２６が変換後条件式情報に変換するステップは、条件式に含まれる開閉器情報が、この条件式が制御対象とする制御装置とは異なるベイに設置され、冗長化された制御装置から取得する開閉器情報であり、冗長化された制御装置の何れかから取得した開閉器情報で成立するように、条件式変換部２６が条件式情報を変換後条件式情報に変換する。
【００３６】
本実施形態によれば、条件式変換部２６が変電所情報記憶部２５に事前に保存された変電所情報に基づいて、利用者により入力された条件式を、制御装置が冗長化された変電所監視制御システム１に対応する条件式に変換する。そのため、利用者は制御装置が冗長化された変電所監視制御システムに対応しない条件式を入力した場合でも、条件式変換部２６が変換するため、利用者による条件式の入力が容易に行える。
【００３７】
また、利用者がキーボード２２等の入力手段から条件式を入力し、ディスプレイ２１等の表示手段に、入力された条件式情報に対応する図面として表示させることにより、利用者による条件式の確認が容易になる。
【００３８】
さらに、条件式出力部２７が、条件式変換部２６により変換された変換後条件式情報を、各条件式が対応する制御装置４１〜４４にＬＡＮ３を介して送信する。このとき冗長化されている制御装置４１および制御装置４２には同一の変換後条件式情報を出力し、同じく冗長化されている制御装置４３および制御装置４４には同一の変換後条件式情報を出力する。ここで、冗長化されている制御装置に対しては、同一の変換後条件式情報を出力することで、条件式が不一致となることが避けられる。また、変換後条件式情報を出力する作業は、冗長化されている場合でも冗長化されていない場合の作業と同程度となり、利用者による作業効率も向上する。
【００３９】
また、ディスプレイ２１等の表示手段に表示する条件式に対応した図面は、実際の開閉器５１〜５６の開閉情報に基づいて、条件が成立している場合の接続線と成立していない場合の接続線の表示を変えることによって、運用中の利用者による条件式の確認が容易となる。つまり、条件が成立している場合の接続線を太線、成立していない場合の接続線を破線で表示してもよく、条件が成立している場合および成立していない場合の接続線の表示形式を表す凡例を表示することによって、運用中の利用者による条件式の確認が容易となる。
【００４０】
（第２の実施形態）
次に、第２の実施形態の変電所監視システム１の構成について図７を用いて説明する。図７は、変電所監視システム１における条件式設定装置２の構成を示す図である。第１の実施形態の図２に示す条件式設定装置２の構成と同一の構成には同一の符号を付し、説明は省略する。
【００４１】
第１の実施形態と異なる点は、条件式比較部２８を備える点である。
【００４２】
条件式比較部２８は、主に図示しないＣＰＵによって動作されるプログラムによって実現される。この条件式比較部２８は、条件式設定装置２がＬＡＮ３を介して接続する制御装置４１〜４４が夫々保持する条件式を示す保持条件式情報を受信し、冗長化関係にある制御装置の夫々が保持する保持条件式情報を比較し、一致しているか否かを判断する。つまり、ここでは制御装置４１と制御装置４２が冗長化関係にあり、保持条件式情報が一致するか否かを判断すると共に、制御装置４３と制御装置４４が冗長化関係にあり、保持条件式情報が一致するか否かを判断する。
【００４３】
本実施形態によれば、条件式比較部２８が冗長化関係にある制御装置４１〜４４の保持条件式情報が一致しているか否かを判断するため、利用者が人間系で作業を行う必要が無くなり、作業効率を向上させることができる。
【００４４】
なお、条件式比較部２８が冗長化関係にある制御装置４１〜４４の保持条件式情報が一致しないと判断した場合には、条件式出力部２６に対して保持条件式情報が一致しない制御装置４１〜４４に変換後条件式情報を出力するよう指令してもよい。このように保持条件式情報が一致しない制御装置４１〜４４に対して変換後条件式情報を出力することによって、冗長化関係にある制御装置４１〜４４の保持条件式情報を一致させることが可能であり、さらに利用者の作業効率を向上させることができる。
【００４５】
また、条件式比較部２８が、冗長化関係にある制御装置の保持条件式情報が一致しないと判断した場合は、一致しないことを示す表示をディスプレイ２１に表示しても良く、ＬＡＮ等を介して接続するＰＣのディスプレイに表示させても良い。
【００４６】
（第３の実施形態）
次に、第３の実施形態の変電所監視システム１の構成について図８を用いて説明する。図８は、変電所監視システム１における条件式設定装置２の構成を示す図である。第２の実施形態の図７に示す条件式設定装置２の構成と同一の構成には同一の符号を付し、説明は省略する。
【００４７】
第２の実施形態と異なる点は、条件式比較部２８に代えて条件式整合部２９を備える点である。
【００４８】
条件式整合部２９は、主に図示しないＣＰＵによって動作されるプログラムによって実現される。この条件式整合部２９は、条件式設定装置２がＬＡＮ３を介して接続する制御装置４１〜４４が夫々保持する条件式を示す保持条件式情報を受信し、制御装置の夫々が保持する保持条件式情報が条件式変換部２６により変換された変換後条件式情報と一致しているか否かを判断する。
【００４９】
本実施形態によれば、条件式整合部２９が制御装置４１〜４４の保持条件式情報と条件式変換部２６により変換された変換後条件式情報と一致しているか否かを判断するため、利用者が人間系で作業を行う必要が無くなり、作業効率を向上させることができる。
【００５０】
なお、条件式整合部２９が制御装置４１〜４４の保持条件式情報と条件式変換部２６により変換された変換後条件式情報が一致しないと判断した場合には、条件式出力部２６に対して保持条件式情報が一致しない制御装置４１〜４４に変換後条件式情報を出力するよう指令してもよい。このように保持条件式情報が一致しない制御装置４１〜４４に対して変換後条件式情報を出力することによって、保持条件式情報と変換後条件式情報とを一致させることが可能であり、さらに利用者の作業効率を向上させることができる。
【００５１】
本発明に係る第１乃至第３の実施形態によれば、インターロック条件式の設定を容易とした変電所監視制御システムを提供することが可能となる。
【００５２】
以上、本発明のいくつかの実施形態について説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことが出来る。これら実施形態やその変形は、発明の範囲や要旨に含まれると共に、特許請求の範囲に記載された発明とその均等の範囲に含まれる。
【符号の説明】
【００５３】
１…変電所監視システム
２…条件式設定装置
３…ＬＡＮ
２１…ディスプレイ
２２…キーボード
２３…条件式編集部
２４…条件式記憶部
２５…変電所情報記憶部
２６…条件式変換部
２７…条件式出力部
２８…条件式比較部
２９…条件式整合部
４１〜４４…制御装置
５１〜５６…開閉器
【図１】
2013208041.tif 000003
【図２】
2013208041.tif 000004
【図３】
2013208041.tif 000005
【図４】
2013208041.tif 000006
【図５】
2013208041.tif 000007
【図６】
2013208041.tif 000008
【図７】
2013208041.tif 000009
【図８】
2013208041.tif 000010